(57)【要約】【課題】表示画面を有するスマートフォン等の表示装置に対し、表示画面を保護する保護シートを貼付する際に、使用者の貼付作業に対する利便性を向上させる保護フィルム貼付支援方法、支援プログラム、表示装置及び通信装置を提供する。【解決手段】支援プログラムをダウンロードして実行した表示装置１は、表示画面に清掃用画像を表示し（Ｓ２０１）、その後、操作入力部から位置合わせ開始操作を受け付け（Ｓ２０２）、受け付けた操作に基づいて、表示画面に位置合わせ用画像を表示する（Ｓ２０３）。【選択図】図７
2015225589.tif 000002
【特許請求の範囲】
【請求項１】
表示装置が有する表示画面に対する保護フィルムの貼付を支援する保護フィルム貼付支援方法であって、
前記表示画面に、該表示画面上の付着物を視覚的に強調させるための清掃用画像を表示して前記表示画面の清掃を支援する第１の手順と、
前記清掃用画像を表示した後に、前記表示画面に、前記保護フィルムの貼付位置の位置合わせに使用する位置合わせ用画像を表示して前記保護フィルムの貼付を支援する第２の手順と
を含むことを特徴とする保護フィルム貼付支援方法。
【請求項２】
表示画面を有する表示装置に、前記表示画面に貼付すべき保護フィルムの貼付を支援させる支援プログラムであって、
前記表示装置に、
前記表示画面の清掃に使用する清掃用画像を、前記表示画面に表示する清掃用画像表示手順と、
前記清掃用画像を表示した後に、保護フィルムの貼付位置の位置合わせに使用する位置合わせ用画像を、前記表示画面に表示する位置合わせ用画像表示手順と
を実行させることを特徴とする支援プログラム。
【請求項３】
請求項２に記載の支援プログラムであって、
前記清掃用画像は、前記表示画面に単色を表示させる画像である
ことを特徴とする支援プログラム。
【請求項４】
請求項２又は請求項３に記載の支援プログラムであって、
前記表示画面と異なる位置に配置され、使用者の操作を受け付ける操作入力部を備える表示装置にて実行可能であり、
前記位置合わせ用画像表示手順は、前記操作入力部から所定の操作を受け付けた場合に、位置合わせ用画像を表示する
ことを特徴とする支援プログラム。
【請求項５】
表示画面を有し、前記表示画面に貼付すべき保護フィルムの貼付を支援する表示装置であって、
前記表示画面上の付着物を視覚的に強調させるための清掃用画像を、前記表示画面に表示する手段と、
前記清掃用画像を表示した後に、保護フィルムの貼付位置の位置合わせに使用する位置合わせ用画像を、前記表示画面に表示する手段と
を備えることを特徴とする表示装置。
【請求項６】
表示画面を有する表示装置と通信可能な通信装置であって、
請求項２乃至請求項４のいずれか１項に記載の支援プログラムを記録する記録部と、
前記記録部に記録している支援プログラムを表示装置へ送信する手段と
を備えることを特徴とする通信装置。
【発明の詳細な説明】
【技術分野】
【０００１】
本発明は、表示装置が有する表示画面に対する保護フィルムの貼付を支援する保護フィルム貼付支援方法、そのような保護フィルム貼付支援方法を実現させるための支援プログラム、そのような支援プログラムを実行した表示装置、及びそのような表示装置と通信可能な通信装置に関する。
【背景技術】
【０００２】
フィーチャーフォン、スマートフォン等の携帯型電話、タブレット型コンピュータ、携帯型ゲーム機等の表示画面を有する表示装置が広く普及している。また、このような表示画面を有する表示装置の普及に伴い、表示画面に対する指紋等の汚れが付着することを防止し、また、小傷等の破損が生じることを防止するために、表示画面に貼付する保護フィルムが普及している。
【０００３】
表示画面に保護フィルムを貼付する場合、使用者は、先ず、表示画面上の汚れ、ゴミ等の付着物を除去する清掃作業を行う。そして、清掃作業後、使用者は、保護フィルムを表示画面上の所定位置に貼付する。
【０００４】
ところが、表示画面への保護フィルムの貼付に際し、表示画面上の所定位置に正確に貼付することは難しく、使用者が、貼付作業にストレスを感じる場合もある。また、貼付位置が最適な位置からズレた場合、外観が悪くなり、貼り直しが必要となる等の問題が生じる。そこで、貼付を支援する様々な方法及び治具が提案されている。
【０００５】
そのうちの一つである特許文献１には、保護フィルムの位置決めのためのガイドマークを表示画面に表示する方法が開示されている。
【先行技術文献】
【特許文献】
【０００６】
【特許文献１】特開２０１３−１６１３０８号公報
【発明の概要】
【発明が解決しようとする課題】
【０００７】
しかしながら、保護フィルムの普及に伴い、更に利便性の高い貼付方法が求められている。
【０００８】
本発明は斯かる事情に鑑みてなされたものであり、位置合わせ用画像の前に、表示画面上の付着物を視覚的に強調させるための清掃用画像を表示することにより、保護フィルムの貼付に際しての利便性を向上させることが可能な保護フィルム貼付支援方法の提供を目的とする。
【０００９】
さらに、本発明は、本発明に係る保護フィルム貼付支援方法を実現させるための支援プログラムの提供を他の目的とする。
【００１０】
さらに、本発明は、本発明に係る支援プログラムを実行する表示装置の提供を他の目的とする。
【００１１】
さらに、本発明は、本発明に係る表示装置と通信可能な通信装置の提供を更に他の目的とする。
【課題を解決するための手段】
【００１２】
上記課題を解決するために、本発明に係る保護フィルム貼付支援方法は、表示装置が有する表示画面に対する保護フィルムの貼付を支援する保護フィルム貼付支援方法であって、前記表示画面に、該表示画面上の付着物を視覚的に強調させるための清掃用画像を表示して前記表示画面の清掃を支援する第１の手順と、前記清掃用画像を表示した後に、前記表示画面に、前記保護フィルムの貼付位置の位置合わせに使用する位置合わせ用画像を表示して前記保護フィルムの貼付を支援する第２の手順とを含むことを特徴とする。
【００１３】
また、本発明に係る支援プログラムは、表示画面を有する表示装置に、前記表示画面に貼付すべき保護フィルムの貼付を支援させる支援プログラムであって、前記表示装置に、前記表示画面の清掃に使用する清掃用画像を、前記表示画面に表示する清掃用画像表示手順と、前記清掃用画像を表示した後に、保護フィルムの貼付位置の位置合わせに使用する位置合わせ用画像を、前記表示画面に表示する位置合わせ用画像表示手順とを実行させることを特徴とする。
【００１４】
さらに、本発明に係る支援プログラムは、前記清掃用画像は、前記表示画面に単色を表示させる画像であることを特徴とする。
【００１５】
さらに、本発明に係る支援プログラムは、前記表示画面と異なる位置に配置され、使用者の操作を受け付ける操作入力部を備える表示装置にて実行可能であり、前記位置合わせ用画像表示手順は、前記操作入力部から所定の操作を受け付けた場合に、位置合わせ用画像を表示することを特徴とする。
【００１６】
また、本発明に係る表示装置は、表示画面を有し、前記表示画面に貼付すべき保護フィルムの貼付を支援する表示装置であって、前記表示画面上の付着物を視覚的に強調させるための清掃用画像を、前記表示画面に表示する手段と、前記清掃用画像を表示した後に、保護フィルムの貼付位置の位置合わせに使用する位置合わせ用画像を、前記表示画面に表示する手段とを備えることを特徴とする。
【００１７】
また、本発明に係る通信装置は、表示画面を有する表示装置と通信可能な通信装置であって、前述の支援プログラムを記録する記録部と、前記記録部に記録している支援プログラムを表示装置へ送信する手段とを備えることを特徴とする。
【００１８】
したがって、本発明では、保護フィルムの貼付の前に行う清掃作業をも支援する。
【発明の効果】
【００１９】
本発明に係る保護フィルム貼付支援方法、支援プログラム、表示装置及び通信装置は、清掃用画像を表示した後に、位置合わせ用画像を表示する。これにより、保護フィルムの貼付作業の前に行われる表示画面の清掃作業をも支援することができる等、優れた効果を奏する。
【図面の簡単な説明】
【００２０】
【図１】本発明に係る支援プログラム、表示装置及び通信装置の関係の概要を例示する説明図である。
【図２】本発明に係る表示装置の外観を示す概略図である。
【図３】本発明に係る表示装置の構成例を概略的に示すブロック図である。
【図４】本発明に係る支援プログラムを記録する通信装置の構成例を概略的に示すブロック図である。
【図５】本発明に係る表示装置に対して貼付される保護フィルムの外観を示す概略図である。
【図６】本発明に係る支援プログラムのダウンロードの一例を示すチャート図である。
【図７】本発明に係る支援プログラムの貼付支援処理の一例を示すフローチャートである。
【図８】本発明に係る表示装置において、表示画面に清掃用画像を表示した状態の一例を示す説明図である。
【図９】本発明に係る表示装置の表示画面に対し、保護フィルムを貼付している状況の一例を示す説明図である。
【図１０】本発明に係る表示装置に対して、使用者が貼付状態の評価のための操作を行う状況の一例を示す説明図である。
【図１１】本発明に係る表示装置の表示画面に表示される評価結果の一例を示す説明図である。
【発明を実施するための形態】
【００２１】
以下、本発明の実施形態について図面を参照しながら説明する。なお、以下の実施形態は、本発明を具現化した一例であって、本発明の技術的範囲を限定する性格のものではない。
【００２２】
＜全体概要＞
図１は、本発明に係る支援プログラム、表示装置及び通信装置の関係の概要を例示する説明図である。本発明に係る支援プログラムＰＧは、フィーチャーフォン、スマートフォン等の携帯型電話、タブレット型コンピュータ、携帯型ゲーム機等の表示装置１で実行可能な応用プログラム（アプリケーションプログラム）である。表示装置１は、携帯電話網等の通信網ＮＷを介してサーバコンピュータを用いた通信装置２にアクセスし、支援プログラムＰＧをダウンロードすることができる。支援プログラムＰＧは、表示装置１が有する表示画面１２ａに、表示画面１２ａを保護する保護フィルム３０の貼付を支援する応用プログラムである。
【００２３】
保護フィルム３０は、ＰＥＴ（Polyethylene terephthalate）等の樹脂フィルム製の薄膜であり、裏面として表示画面１２ａに接触する粘着面と、表面となる非粘着面とを有している。保護フィルム３０は、貼付された表示画面１２ａに対する汚れ、傷からの保護を目的とするものであるが、様々な機能を付加した高機能フィルムを用いることも可能である。具体的には、光沢を出す機能、反射を防止する機能、指紋等の油脂をつきにくくする機能、のぞき見防止機能、紫外線抑止機能、ブルーライト抑止機能等の様々な機能を例示することができる。
【００２４】
保護フィルム３０は、非粘着面に剥離フィルム３１を貼付し、粘着面に台紙シート３２を貼付して、３枚のフィルムが積層されたフィルムアッシー３として流通する。また、流通に際しては、台紙シート３２、同梱の説明書、包装袋等に使用方法及び通信装置２へのアクセス方法が記載される。通信装置２へのアクセス方法とは、例えば、ＵＲＬ（Universal Resource Locator）、２次元バーコード、１次元バーコード等の情報の記載である。
【００２５】
＜表示装置１＞
図２は、本発明に係る表示装置１の外観を示す概略図である。図２（ａ）が正面図であり、図２（ｂ）が側面図である。図２に例示する表示装置１は、角丸長方形の板状に形成されている。表示装置１の正面は、上端及び下端を除き、略全面に亘って長方形状の表示画面１２ａが配置されている。表示装置１の正面において、表示画面１２ａより上側となる上端近傍には、横方向に細長い角丸長方形状のスピーカ等の音声出力部１３ｂと、円状のカメラレンズを有する撮像部１５とが配置されている。また、表示画面１２ａより下側となる下端近傍には、使用者の操作を受け付ける円状の操作入力部１４が配設されており、操作入力部１４は、表示モードの切替、表示内容の変更等の操作に用いられる。
【００２６】
表示装置１の上面には、使用者の操作を受け付ける電源ボタンとして操作入力部１４が配設されており、左側面には、使用者の操作を受け付ける音量ボタン等の操作入力部１４が配設されている。また、下側面には、マイクロホン等の音声入力部１３ａが配設されている。
【００２７】
図３は、本発明に係る表示装置１の構成例を概略的に示すブロック図である。表示装置１は、前述の表示画面１２ａを含む入力表示部１０、前述の音声入力部１３ａ及び音声出力部１３ｂを有する音声処理部１３、並びに前述の操作入力部１４及び撮像部１５を備えている。さらに、表示装置１は、制御部１６、通信部１７、記録部１８等の各種構成を備えている。
【００２８】
入力表示部１０は、使用者の指又は指示具の接触を検知し入力操作として受け付けるタッチパネル等の接触入力部１１と液晶を用いた表示画面１２ａを有する液晶パネル等の表示部１２とを積層した液晶タッチパネル、その付属回路等の構成を備える機構である。
【００２９】
音声処理部１３は、音声入力部１３ａから受音した音声をデジタル信号に変換するＡ／Ｄ変換、デジタル信号をアナログ信号に変換し、音声出力部１３ｂから音声として出力するＤ／Ａ変換等の各種処理を実行する機構である。
【００３０】
操作入力部１４は、表示画面１２ａと異なる位置に複数配設されているハードウェアとしてのスイッチであり、前述の様に、それぞれ表示内容の変更、電源ボタン、音量ボタン等の各種機能を有している。
【００３１】
撮像部１５は、写真又は動画を撮影するカメラ等の機構である。
【００３２】
制御部１６は、表示装置１全体を制御するＣＰＵ（Central Processing Unit）、マイクロコンピュータ等のプロセッサを有する機構である。
【００３３】
通信部１７は、携帯電話網等の通信網ＮＷに接続するアンテナ、その付属回路等の機構であり、通信部１７により通信網ＮＷを介して通信装置２にアクセスすることができる。
【００３４】
記録部１８は、揮発性及び不揮発性の半導体メモリ等の記録手段を有する機構である。記録部１８には、各種プログラム及びデータ等の情報を記録することが可能であり、通信装置２からダウンロードした支援プログラムＰＧ等のアプリケーションプログラムは、記録部１８に記録される。即ち、スマートフォン等のコンピュータは、記録部１８に記録された支援プログラムＰＧを制御部１６の制御にて実行することにより、本発明に係る表示装置１として動作する。
【００３５】
＜通信装置２＞
図４は、本発明に係る支援プログラムＰＧを記録する通信装置２の構成例を概略的に示すブロック図である。通信装置２は、制御部２０、記録部２１、通信部２２等の各種構成を備えている。制御部２０は、装置全体を制御するプロセッサを有する機構である。記録部２１は、ハードディスク、ＲＡＩＤ（Redundant Arrays of Inexpensive Disks）、半導体メモリ等の記録手段を有する機構である。記録部２１には、通信装置２として機能させるための各種プログラムの他、通信網ＮＷを介して他の装置へ送信する支援プログラムＰＧ等の応用プログラムが記録されている。通信部２２は、インターネット、携帯電話網等の通信網ＮＷに接続する通信ポート及びその付属回路等の機構である。
【００３６】
＜保護フィルム３０＞
図５は、本発明に係る表示装置１に対して貼付される保護フィルム３０の外観を示す概略図である。図５では、台紙シート３２、保護フィルム３０及び剥離フィルム３１を積層したフィルムアッシー３として示しており、図５（ａ）が剥離フィルム３１側の面から見た正面図であり、図５（ｂ）が側面図である。なお、側面図においては、図示の都合上、厚みを強調して示している。
【００３７】
前述のように、フィルムアッシー３を構成する台紙シート３２、保護フィルム３０及び剥離フィルム３１は、保護フィルム３０の粘着面に台紙シート３２が貼付され、非粘着面に剥離フィルム３１が貼付された状態で積層されている。保護フィルム３０及び剥離フィルム３１の外形は略同形状であり、表示装置１の表示画面１２ａの形状に略合致するように形成されている。即ち、保護フィルム３０は、表示装置１の機種毎に大きさ及び形状が異なっており、対応する機種に応じた大きさ及び形状となっている。台紙シート３２は、保護フィルム３０及び剥離フィルム３１より若干大きめの外形となっている。
【００３８】
台紙シート３２は、保護フィルム３０の粘着面の保護、折れ防止等の機能を有し、保護フィルム３０より硬質の樹脂フィルムで形成されている。
【００３９】
剥離フィルム３１は、保護フィルム３０の非粘着面の保護等の機能を有し、保護フィルム３０より軟質の樹脂フィルムで形成されている。剥離フィルム３１の右上部には、保護フィルム３０から剥離フィルム３１を剥離する際の把持代となる把持片３１ａが付されている。また、剥離フィルム３１は、保護フィルム３０と同様に透明性を有し、剥離フィルム３１及び保護フィルム３０を透して表示装置１の表示画面１２ａ上の画像を視認することができる。
【００４０】
また、剥離フィルム３１には、表示装置１の表示画面１２ａに貼付する際の位置合わせに使用する位置合わせマークが示されている。位置合わせマークは、適宜その形態を決定することが可能であるが、図５では、格子状の位置合わせマークを剥離フィルム３１上に描画した例を示している。また、格子状の位置合わせマークにおいて、いくつかの格子点には、位置合わせの評価用マークとして黒丸が印刷により描画されている。位置合わせマークとしては、図５に示す格子状の図画に限らず、様々な形状に形成することが可能である。また、必ずしも印刷等の方法により描画した図画に限るものではなく、長方形に切り抜かれた穴、細溝等の形状を剥離フィルム３１上に設け、位置合わせマークとして用いるようにしても良い。
【００４１】
＜使用方法＞
次に、本発明に係る支援プログラム等の使用方法について説明する。図６は、本発明に係る支援プログラムＰＧのダウンロードの一例を示すチャート図である。使用者は、表示装置１を操作して、通信装置２にアクセスし、支援プログラムＰＧのダウンロード操作を行う。通信装置２へのアクセスは、例えば、フィルムアッシー３の説明書に記載されているＱＲコード（登録商標）等の２次元バーコードを読み取り、２次元バーコードとして示されるＵＲＬにアクセスすることにより、実行される。
【００４２】
表示装置１は、制御部１６の制御により、通信装置２にアクセスし、支援プログラムＰＧをダウンロードすべく支援プログラム送信要求に係る命令を、通信部１７から通信装置２へ送信する（Ｓ１０１）。
【００４３】
表示装置１からアクセスされた通信装置２は、制御部２０の制御により、通信部２２にて、支援プログラム送信要求に係る命令を受信し、記録部２１に記録している支援プログラムＰＧを読み取り、読み取った支援プログラムＰＧを通信部２２から表示装置１へ送信する（Ｓ１０２）。
【００４４】
表示装置１は、制御部１６の制御により、通信部１７にて支援プログラムＰＧを受信し、受信した支援プログラムＰＧを記録部１８に記録する（Ｓ１０３）。
【００４５】
このようにして、支援プログラムＰＧのダウンロード処理が実行される。
【００４６】
図７は、本発明に係る支援プログラムＰＧの貼付支援処理の一例を示すフローチャートである。使用者は、支援プログラムＰＧをダウンロードした表示装置１を操作し、支援プログラムＰＧを実行させる操作を行う。支援プログラムＰＧを実行させる操作とは、例えば、表示画面１２ａに表示されたアイコン等の画像に使用者が指にて触れることである。表示装置１は、接触入力部１１にて接触を操作として検知する。操作を受け付けた表示装置１は、制御部１６の制御により、以下に示す処理、即ち、支援プログラムＰＧに基づく貼付支援処理を実行する。
【００４７】
制御部１６は、接触入力部１１に対する接触による命令の入力を停止し、表示画面１２ａに清掃用画像を表示する（Ｓ２０１）。支援プログラムＰＧの実行に基づく保護フィルム３０の貼付作業においては、表示画面１２ａに直接又は間接的に、使用者の指が接触する機会が生じる。使用者の指の接触による誤動作を防止するため、事前処理として接触入力部１１に対する接触による命令の入力が停止される。また、表示画面１２ａに対する保護フィルム３０の貼付に際し、表示画面１２ａ上のゴミ等の異物の除去、指紋等の汚れの拭き取り等の作業が必要となる。そこで、ステップＳ２０１では、異物の除去、汚れの拭き取り用となる清掃用画像を表示する。
【００４８】
図８は、本発明に係る表示装置１において、表示画面１２ａに清掃用画像を表示した状態の一例を示す説明図である。清掃用画像は、表示画面１２ａ上の異物、指紋等の付着物を視覚的に強調させるための単色画像となっており、図８では、黒一色の清掃用画像を表示した状態を示している。単色画像を表示することにより、使用者は、付着した異物、汚れ等の清掃対象を容易に視認することが可能となる。なお、表示装置１は、黒の単色画像を表示した後、白の単色画像を表示するというように、清掃用画像の色を自動的に又は手動で切り替えることで、使用者が様々な清掃対象を視認できるように構成することも可能である。
【００４９】
表示画面１２ａの清掃終了後、使用者は、表示装置１の操作入力部１４を操作し、保護フィルム３０の貼付のための位置合わせを開始させる。前述の様に操作入力部１４は、表示画面１２ａとは異なる位置に配設された電源ボタン、音量ボタン等のハードウェアスイッチである。貼付支援処理においては、表示画面１２ａに接触することによる入力操作、即ち接触入力部１１に対する命令の入力が停止されているため、操作入力部１４による操作が必要となる。
【００５０】
図７のフローチャートに戻り、制御部１６は、操作入力部１４から位置合わせ開始操作を受け付け（Ｓ２０２）、受け付けた操作に基づいて、表示画面１２ａに位置合わせ用画像を表示する（Ｓ２０３）。ステップＳ２０３にて位置合わせ用画像を表示後、使用者は、位置合わせ用画像が表示された表示画面１２ａに対して、保護フィルム３０の位置合わせを行い、位置を合わせた保護フィルム３０を貼付する作業を行う。
【００５１】
図９は、本発明に係る表示装置１の表示画面１２ａに対し、保護フィルム３０を貼付している状況の一例を示す説明図である。位置合わせ用画像は、表示画面１２ａに表示されているように、剥離フィルム３１と同様のマークを表示した画像である。図９に示す例では、位置合わせ用画像として、図５に例示した剥離フィルム３１と同様に、格子状の位置合わせマーク画像が示されている。保護フィルム３０を正しい位置に貼付した場合、剥離フィルム３１の格子状の位置合わせマークと、表示画面１２ａの格子状の位置合わせマーク画像とが合致する。
【００５２】
前述の様に、保護フィルム３０は、表示装置１の機種に応じて形成されているため、支援プログラムＰＧとして提供される位置合わせマーク画像も表示装置１の機種に応じた画像となる。位置合わせマーク画像を機種毎に選択する方法としては、通信装置２から機種に応じた支援プログラムＰＧがダウンロードされるようにしても良く、また、ダウンロード後、機種を選択するようにしても良い。例えば、機種に応じた支援プログラムＰＧをダウンロードする形態とする場合、機種毎に異なるＵＲＬを設定しても良く、表示装置１から送信される支援プログラム送信要求に係る命令に含まれるヘッダ情報から機種を読み取って通信装置２側で選択するようにしても良く、また使用者がダウンロードの段階で機種を選択するようにしても良い。
【００５３】
使用者は、保護フィルム３０を貼付する作業として、剥離フィルム３１、保護フィルム３０及び台紙シート３２を積層したフィルムアッシー３から、台紙シート３２を剥がす。使用者は、剥離フィルム３１の位置合わせマークと表示画面１２ａの位置合わせマーク画像とを視認しながら、位置合わせを行い、保護フィルム３０と表示画面１２ａとの間への気泡の混入に注意しながら、保護フィルム３０の粘着面を表示画面１２ａに貼付する。剥離フィルム３１が積層されている保護フィルム３０を表示画面１２ａに貼付する作業が終了後、使用者は、表示装置１の操作入力部１４を操作し、完了操作を行う。
【００５４】
図７のフローチャートに戻り、制御部１６は、操作入力部１４から位置合わせ完了操作を受け付け（Ｓ２０４）、位置合わせ処理を終了する。さらに、制御部１６は、表示画面１２ａに評価用画像を表示し（Ｓ２０５）、接触入力部１１に対する接触による命令の入力を再開する。ステップＳ２０５にて表示する評価用画像とは、保護フィルム３０の貼付状態を評価するための操作を促す画像であり、例えば、「黒丸に触れてください。」、「気泡に触れてください。」等のメッセージを表示する。
【００５５】
図１０は、本発明に係る表示装置１に対して、使用者が貼付状態の評価のための操作を行う状況の一例を示す説明図である。図１０は、評価用画像として「黒丸に触れてください」とのメッセージを表示した後、使用者が、剥離フィルム３１の格子点に示された黒丸に触れている状況を示している。また、例えば、評価用画像として「気泡に触れてください」というメッセージを表示した場合、使用者は、保護フィルム３０と表示画面１２ａとの間に混入した気泡に触れる操作を行う。即ち、使用者は、接触入力部１１に指を接触することにより、表示装置１に対する入力を行う。
【００５６】
図７のフローチャートに戻り、制御部１６は、接触入力部１１から接触入力を受け付け（Ｓ２０６）、受け付けた接触入力の接触位置及び個数に基づき貼付状態を評価し（Ｓ２０７）、評価の結果を表示画面１２ａに表示する（Ｓ２０８）。例えば、黒丸に対する接触入力に基づく評価を行う場合、制御部１６は、正しい位置に貼付された場合における黒丸に対応する位置と、実際に接触した位置との差に基づいて評価を行う。また、例えば、気泡に対する接触入力に基づく評価を行う場合、制御部１６は、接触位置及びその大きさ並びに個数に基づいて評価を行う。
【００５７】
図１１は、本発明に係る表示装置１の表示画面１２ａに表示される評価結果の一例を示す説明図である。図１１に例示した評価結果は、貼付状態を点数化して評価したものである。図１１に例示した評価結果は、貼り付け精度を、Ｘ方向（横方向）及びＹ方向（縦方向）について評価した結果と、気泡の大きさ及び個数について評価した結果と、総合点、並びにランキングを示している。ランキングは、例えば、総合点を、通信装置２へ送信し、他の表示装置１にて行われた評価の結果と比較し、その結果を表示装置１にて表示したものである。
【００５８】
そして、使用者は、評価結果を視認し、更に、剥離フィルム３１を保護フィルム３０から剥離することにより、保護フィルム３０の貼付作業を終了する。
【００５９】
以上のように、本発明に係る支援プログラムＰＧを実行する表示装置１は、表示画面１２ａの清掃に使用する清掃用画像を、表示画面１２ａに表示し、清掃用画像を表示した後、位置合わせ用画像を表示画面１２ａに表示する。これにより、使用者は、表示画面１２ａを清掃した上で、保護フィルム３０を貼付する作業をすることができるので、保護フィルム３０の貼付に際しての利便性が向上する。さらに、表示装置１は、保護フィルム３０を貼付した後、接触入力に基づいて貼付状況を評価することにより、使用者は、貼付の状況を確認することができる。
【００６０】
前記実施の形態は、本発明の無数に存在する実施例の一部を開示したに過ぎず、目的、用途、仕様等の様々な要因を加味して適宜設計することが可能である。そして、本発明は、特許請求の範囲内及び当該範囲と均等の範囲内で適宜変更することが可能である。
【００６１】
例えば、前記実施の形態は、スマートフォンを用いた表示装置１に、格子状の位置合わせマークが示された剥離フィルム３１を用いて保護フィルム３０を貼付する形態を示したが、本発明はこれに限るものではない。即ち、フィーチャーフォン等のスマートフォン以外の携帯型電話、タブレット型コンピュータ、携帯型ゲーム機等の装置を本発明に係る表示装置１として用いることが可能である。また、剥離フィルム３１の位置合わせ用のマークとしては、格子状の位置合わせマークに限らず、他の形状のマークでも良く、更には、長方形に切り抜かれた穴、細溝等の形状であっても良い。
【００６２】
また、前記実施の形態では、清掃用画像を表示後、操作入力部１４から位置合わせ開始操作を受け付けると、すぐに位置合わせ用画像を表示する形態を示したが、清掃用画像を表示後、操作を受け付けた場合に、位置合わせの作業及び操作の説明等の他の画像を表示した後に、位置合わせ用画像を表示するようにしても良い。
【符号の説明】
【００６３】
１  表示装置
１０  入力部表示部
１１  接触入力部
１２  表示部
１２ａ  表示画面
１３  音声処理部
１３ａ  音声入力部
１３ｂ  音声出力部
１４  操作入力部
１５  撮像部
１６  制御部
１７  通信部
１８  記録部
２  通信装置
２０  制御部
２１  記録部
２２  通信部
３  フィルムアッシー
３０  保護フィルム
３１  剥離フィルム
３２  台紙シート
ＮＷ  通信網
ＰＧ  支援プログラム
【図１】
2015225589.tif 000003
【図２】
2015225589.tif 000004
【図３】
2015225589.tif 000005
【図４】
2015225589.tif 000006
【図５】
2015225589.tif 000007
【図６】
2015225589.tif 000008
【図７】
2015225589.tif 000009
【図８】
2015225589.tif 000010
【図９】
2015225589.tif 000011
【図１０】
2015225589.tif 000012
【図１１】
2015225589.tif 000013